(57)【要約】【課題】  フード付ガラリに対してフィルターを長期に亘って確実に固定することができる上に、フィルターの交換を容易且つ迅速に行うことのできるフード付ガラリ用のフィルター固定具を提供する。【解決手段】  フランジ内にルーバーが設けられ、ルーバーを覆って下方又は斜め下方に向いて開放した開口を形成したフードが設けられたフード付ガラリにフィルターを固定するためのフィルター固定具であって、フィルター上に配置されるフィルター押体と、フィルター押体の一部に連結された第一延出体と、第一延出体との連結位置から離れた位置でフィルター押体の一部に連結され、先端側が第一延出体の先端側に連結された第二延出体とを備え、第一延出体及び第二延出体の少なくとも何れか一方が弾性変形可能に構成され、フィルター押体をフィルター上に配置した状態で、第一延出体と第二延出体とを連結した連結部、又は前記連結部の近傍がフードの内面に圧接する。【選択図】図１
2010286147.tif 000002
【特許請求の範囲】
【請求項１】
建物の壁の外面に沿って配置された環状のフランジ内に通気可能なルーバーが設けられるとともに、ルーバーの上方、側方、及び前方を一体的に覆って下方又は斜め下方に向いて開放した開口を形成したフードがフランジの外面に取り付けられた既設のフード付ガラリに対し、通気性の有るシート状のフィルターをフード内のルーバーの前面に重ね合わせた状態で固定するためのフィルター固定具であって、ルーバーの前面に重ね合わされたフィルター上に配置されるフィルター押体と、フィルター押体の一部に連結されて延出する第一延出体と、第一延出体との連結位置から離れた位置でフィルター押体の一部に連結されて延出し、先端側が第一延出体の先端側に連結された第二延出体とを備え、第一延出体及び第二延出体の少なくとも何れか一方が弾性変形可能に構成され、フィルター押体をフード内のフィルター上に配置した状態で、第一延出体及び第二延出体の少なくとも何れか一方の弾性による復元力によって第一延出体と第二延出体とを連結した連結部、又は該連結部の近傍がルーバーの前方を覆うフードの内面に圧接するように構成されていることを特徴とするフード付ガラリ用のフィルター固定具。
【請求項２】
前記フィルター押体は、フィルターの外周端部を押さえるべく、弾性変形可能な線材を環状にして形成された外枠体を備え、第一延出体は、弾性変形可能な線材で前記開口よりも大径な環状に形成されるとともに、周方向の一部が外枠体の一部に連結され、第二延出体は、弾性変形可能な線材で第一延出体と同径、又はそれよりも小径な環状に形成されるとともに、周方向の一部が第一延出体との連結位置と対向する位置にある外枠体の一部に連結され、第一延出体及び第二延出体は、外枠体に対する連結位置と対向する一部同士が連結されている請求項１記載のフード付ガラリ用のフィルター固定具。
【請求項３】
前記フィルター押体は、弾性変形可能な線材で外枠体よりも小径な環状に形成され、外枠体内に配置された二つ以上の連結環状体を備え、二つ以上の連結環状体は、外枠体に対する第一延出体及び第二延出体の連結位置間で一列に配置され、第一延出体と外枠体との連結位置と隣り合う連結環状体の一部が外枠体と第一延出体との連結位置に連結されるとともに、第二延出体と外枠体との連結位置と隣り合う連結環状体の一部が外枠体と第二延出体との連結位置に連結され、しかも、隣り合う連結環状体の近接する一部同士が連結されている請求項２に記載のフード付ガラリ用のフィルター固定具。
【発明の詳細な説明】
【技術分野】
【０００１】
本発明は、建物の壁に取り付けられたガラリに対してフィルターを固定するためのフィルター固定具に関し、より詳しくは、既設のフード付ガラリに対してフィルターを交換可能に固定するためのフード付ガラリ用のフィルター固定具に関する。
【背景技術】
【０００２】
従来から、建物内の換気を行うべく、建物の壁に対して内外に貫通した換気穴が形成される場合があり、このような場合、一般的に、換気穴を覆うように壁の外面側（屋外側）にガラリが取り付けられる。かかるガラリは、建物の壁の外面に沿って配置される環状のフランジと、該フランジ内に設けられたルーバーとを備えている。該ルーバーは、複数の羽根板を備えており、該複数の羽根板が、一方向に間隔をあけて並列に配置され、又は、格子状に配置されることで、換気穴を目隠ししつつ羽根板間に形成される空間（隙間）で空気の流通を確保できるようになっている。
【０００３】
しかしながら、上記構成のガラリは、害虫や埃が室内に進入してしまうといった指摘がある。すなわち、上記構成のガラリは、複数の羽根板で換気穴を覆い隠すことができるものの、複数の羽根板の間隔が害虫や埃の通過を許容してしまう広い間隔に設定されているため、害虫や埃等が外部から室内に進入してくるといった指摘がある。
【０００４】
このような指摘を受け、近年において、通気性を確保しつつ害虫や埃の通過を阻止できる不織布等から構成されるフィルターを既設のガラリに対して取り付けるためのフィルター固定具が提供されている。
【０００５】
かかるフィルター固定具は、建物の壁面（外面）とガラリのフランジとの間に介挿入可能に形成されたベースプレートと、空気流通用の穴が形成されるとともに、該穴に対向するようにフィルターが取り付けられるカバーとを備え、カバーをベースプレートに取り付けることで、フィルターがガラリのルーバーに対向した状態（フィルターを取り付けたカバーがルーバーを覆った状態）になるように構成されている（例えば、特許文献１参照）。
【０００６】
このように、上記構成のフィルター固定具は、フィルターをルーバーと対向させた状態で取り付けることができるため、既設のガラリ（ルーバー）を介して害虫や埃が室内に進入するのを阻止できるようになっている。
【先行技術文献】
【特許文献】
【０００７】
【特許文献１】特開２００５−８３７１０号公報
【発明の概要】
【発明が解決しようとする課題】
【０００８】
ところで、ガラリには、ルーバーの上方、側方、及び前方を一体的に覆うフードが取り付けられたものがあるが、上記構成のフィルター固定具は、カバーでルーバーを直接覆うようになっているため、ガラリにフードが取り付けられていると、そのフードが邪魔になって取り付けることができない。そうすると、ルーバーに対してフィルターを簡単に取り付けるには、例えば、ルーバーに対してフィルターを粘着テープ等で貼り付けることも考えられるが、フィルターは長期の使用によって汚れたり劣化したりするため交換する必要があり、粘着テープ等でフィルターを貼り付けてしまうと交換が煩雑である。また、フィルターを粘着テープで貼り付けると、粘着テープ等の劣化や埃の付着で接着力が低下してしまい、フィルターを適正位置で固定し続けることができないといった問題がある。
【０００９】
そこで、本発明は、斯かる実情に鑑み、フード付ガラリに対してフィルターを長期に亘って確実に固定することができる上に、フィルターの交換を容易且つ迅速に行うことのできるフード付ガラリ用のフィルター固定具を提供することを課題とする。
【課題を解決するための手段】
【００１０】
本発明に係るフード付ガラリ用のフィルター固定具は、建物の壁の外面に沿って配置された環状のフランジ内に通気可能なルーバーが設けられるとともに、ルーバーの上方、側方、及び前方を一体的に覆って下方又は斜め下方に向いて開放した開口を形成したフードがフランジの外面に取り付けられた既設のフード付ガラリに対し、通気性の有るシート状のフィルターをフード内のルーバーの前面に重ね合わせた状態で固定するためのフィルター固定具であって、ルーバーの前面に重ね合わされたフィルター上に配置されるフィルター押体と、フィルター押体の一部に連結されて延出する第一延出体と、第一延出体との連結位置から離れた位置でフィルター押体の一部に連結されて延出し、先端側が第一延出体の先端側に連結された第二延出体とを備え、第一延出体及び第二延出体の少なくとも何れか一方が弾性変形可能に構成され、フィルター押体をフード内のフィルター上に配置した状態で、第一延出体及び第二延出体の少なくとも何れか一方の弾性による復元力によって第一延出体と第二延出体とを連結した連結部、又は該連結部の近傍がルーバーの前方を覆うフードの内面に圧接するように構成されていることを特徴とする。
【００１１】
上記構成のフード付ガラリ用フィルター固定具によれば、フードの形成した開口から全体をフード内に挿入すると、第一延出体及び第二延出体の少なくとも何れか一方の弾性による復元力によって第一延出体と第二延出体とを連結した連結部、又は該連結部の近傍がルーバーの前方を覆うフードの内面に圧接し、その圧接力の反力が第一延出体及び第二延出体を介してフィルター押体に作用する。その結果、シート状のフィルターがルーバーとフィルター押体との挟まれた状態になり、フィルターをフード内にあるルーバーの前面に重ね合わせた状態で固定することができる。
【００１２】
また、第一延出体及び第二延出体の少なくとも何れか一方を弾性変形させてフィルター押体に対して傾倒（傾斜）させた姿勢にすると、第一延出体と第二延出体との連結部又は該連結部近傍のフードに対する圧接が解除される。これにより、フィルター固定具をガラリから取り外してルーバーの前面に重ね合わせたフィルターを取り外すことができる。
【００１３】
本発明の一態様として、前記フィルター押体は、フィルターの外周端部を押さえるべく、弾性変形可能な線材を環状にして形成された外枠体を備え、第一延出体は、弾性変形可能な線材で前記開口よりも大径な環状に形成されるとともに、周方向の一部が外枠体の一部に連結され、第二延出体は、弾性変形可能な線材で第一延出体と同径、又はそれよりも小径な環状に形成されるとともに、周方向の一部が第一延出体との連結位置と対向する位置にある外枠体の一部に連結され、第一延出体及び第二延出体は、外枠体に対する連結位置と対向する一部同士が連結されていることが好ましい。このようにすれば、第二延出体をフードの奥側に位置させるようにフード内に配置する（フィルター押体がフィルターを押さえる）と、フード内で第一延出体が開口回りで配置されることになる。これにより、開口内に何れの部材も存在することがなく、空気の円滑な流通を確保することができる。
【００１４】
そして、外枠体、第一延出体、及び第二延出体の何れも弾性変形可能な線材で環状に形成されているので、常態の姿勢で全体が開口を通過できないサイズになっていたとしても、これらを径方向に弾性変形させることで開口での通過が許容されることになる。また、開口を通過した後にこれらの弾性で元の姿勢に復元することになり、フード内では、該フードに対する連結部又は該連結部近傍の圧接が確保され、フード外では常態の姿勢に復元することができる。従って、複数回に亘るフィルターの交換にも耐えることができる。
【００１５】
この場合、前記フィルター押体は、弾性変形可能な線材で外枠体よりも小径な環状に形成され、外枠体内に配置された二つ以上の連結環状体を備え、二つ以上の連結環状体は、外枠体に対する第一延出体及び第二延出体の連結位置間で一列に配置され、第一延出体と外枠体との連結位置と隣り合う連結環状体の一部が外枠体と第一延出体との連結位置に連結されるとともに、第二延出体と外枠体との連結位置と隣り合う連結環状体の一部が外枠体と第二延出体との連結位置に連結され、しかも、隣り合う連結環状体の近接する一部同士が連結されていることが好ましい。このようにすれば、二つ以上の連結環状体が第一延出体と外枠体との連結位置と、第二延出体と外枠体との連結位置との間を突っ張ることになるため、フード内に挿入する際（開口を通過させる際）に、挿入方向（通過方向）と交差する方向に外枠体や第一延出体を変形させても、フード内への挿入方向での不要な変形が防止される。これにより、フード内に円滑且つ適正に配置することができる。
【発明の効果】
【００１６】
以上のように、本発明のフード付ガラリ用のフィルター固定具によれば、フード付ガラリに対してフィルターを長期に亘って確実に固定することができる上に、フィルターの交換を容易且つ迅速に行うことができるという優れた効果を奏し得る。
【図面の簡単な説明】
【００１７】
【図１】本発明の一実施形態に係るフード付ガラリ用のフィルター固定具を用いてフィルターが取り付けられるフード付ガラリの斜視図を示す。
【図２】同実施形態に係るフード付ガラリ用のフィルター固定具を用いてフィルターが取り付けられるフード付ガラリの縦断面図を示す。
【図３】同実施形態に係るフード付ガラリ用のフィルター固定具を用いてフード付ガラリにフィルターを取り付けた状態の縦断面図を示す。
【図４】同実施形態に係るフード付ガラリ用のフィルター固定具の斜視図を示す。
【図５】本発明の他実施形態に係るフード付ガラリ用のフィルター固定具の斜視図を示す。
【図６】本発明の別の実施形態に係るフード付ガラリ用のフィルター固定具の斜視図を示す。
【図７】本発明のさらに別の実施形態に係るフード付ガラリ用のフィルター固定具の斜視図を示す。
【図８】本発明のさらに別の実施形態に係るフード付ガラリ用のフィルター固定具の部分拡大断面図を含んだ断面側面図であって、（ａ）は、第一延出体と第二延出体とを連結部材を介して連結した状態の断面側面図を示し、（ｂ）は、連結部材を取り外して第一延出体と第二延出体とを傾倒させた状態の断面側面図を示す。
【図９】本発明のさらに別の実施形態に係るフード付ガラリ用のフィルター固定具の部分拡大断面図を含んだ断面側面図であって、（ａ）は、第一延出体と第二延出体とを連結部材を介して連結した状態の断面側面図を示し、（ｂ）は、連結部材を取り外して第一延出体と第二延出体とを傾倒させた状態の断面側面図を示す。
【発明を実施するための形態】
【００１８】
以下、本発明の一実施形態に係るフード付ガラリ用のフィルター固定具（以下、単にフィルター固定具という）について、添付図面を参照しつつ説明する。
【００１９】
フィルター固定具の説明に先立ち、該フィルター固定具を用いてフィルターを固定するフード付ガラリ（以下、単にガラリという）について概略説明すると、かかるガラリは、図１及び図２に示す如く、内外を連通させるように建物の壁を貫通させた換気穴（図示しない）に嵌入される筒状の取付嵌入部５０と、該取付嵌入部５０の径方向外方に延出するように該取付嵌入部５０の一端部に連設された鍔状のフランジ５１と、フランジ５１内に設けられた通気可能なルーバー５２と、フランジ５１の外面に取り付けられ、ルーバー５２の上方、側方、及び前方を一体的に覆い、下方又は斜め下方に向いた開口５３０を形成したフード５３とを備えている。
【００２０】
前記取付嵌入部５０は、換気穴の形状に応じて角筒状又は円筒状に形成される。本実施形態において、前記取付嵌入部５０は、円筒状に形成されており、外周面には、換気穴の内周面に圧接可能な抜止部材５００…が周方向に間隔をあけて複数取り付けられている。
【００２１】
前記ルーバー５２は、複数の羽根板５２０…を備えている。複数の羽根板５２０…は、一方向に間隔をあけて配置されたり、格子状に配置されたりするのが一般的である。図１及び図２に示すルーバー５２は、円環状のフランジ５１が画定する開口を閉塞するように設けられた金属プレートで構成されており、その金属プレートをプレス加工（打ち抜き加工）することで、複数の羽根板５２０…のそれぞれが一方向（建物の壁に固定された状態で水平方向になる方向）に延びるように形成されている。そして、前記フード５３は、フランジ５１の外面（取付嵌入部５０の連結側とは反対側の面）に連結されている。該フード５３は、種類によって箱状に形成されることもあるが、図１及び図２に示すフード５３は、ドーム状に形成されており、斜め下方に向けて開放した開口５３０を画定している。
【００２２】
これにより、上記構成のガラリ５は、フランジ５１が壁の外面に対向するように取付嵌入部５０を換気穴に嵌入することで建物の壁に固定され、ルーバー５２の羽根板５２０…間の隙間で室内と屋外との間における通気を確保するとともに、ルーバー５２の羽根板５２０…によって室内からの空気がフード５３の開口５３０に向かって流れる（或いは、外部からの空気が羽根板５２０…に案内されて取付嵌入部５０内に流れる）ようになっている。
【００２３】
本実施形態に係るフィルター固定具は、上述の如く、下方又は斜め下方に向けて開放した開口５３０が形成され、ルーバー５２の上方、側方、及び前方を一体的に覆ったフード５３を備えたガラリ５に対してシート状のフィルターを固定するためのものである。なお、特に言及しないが、フィルターは、通気性を確保しつつ害虫や埃の通過を阻止することのできるものであればよく、通常、不織布で構成される。
【００２４】
そして、本実施形態に係るフィルター固定具１は、図３に示す如く、ルーバー５２の前面に重ね合わされたフィルターＦ上に配置されるフィルター押体１０と、フィルター押体１０の一部に連結されて延出する第一延出体１１と、第一延出体１１との連結位置から離れた位置でフィルター押体１０の一部に連結されて延出し、先端側が第一延出体１１の先端側に連結された第二延出体１２とを備えている。
【００２５】
これにより、フィルター固定具１は、互いに連結されたフィルター押体１０、第一延出体１１、及び第二延出体１２によって、側面視三角形状（トライアングル状）をなしている。
【００２６】
そして、フィルター固定具１は、第一延出体１１及び第二延出体１２の少なくとも何れか一方が弾性変形可能に構成される。本実施形態に係るフィルター固定具１は、フィルター押体１０、第一延出体１１、及び第二延出体１２の全てが弾性変形可能に構成されている。
【００２７】
ここで、各構成について具体的に説明すると、図４に示す如く、本実施形態に係るフィルター押体１０は、フィルターＦの外周端部を押さえるべく、弾性変形可能な線材Ｗを環状にして形成された外枠体１００を備えている。本実施形態に係るフィルター固定具１は、上述の如く、フード５３がドーム型を呈するガラリ５を対象にフィルターＦを固定することを対象としているため、ルーバー５２の前面に重ね合わされるフィルターＦについても円板状に裁断されている。そのため、本実施形態において、前記外枠体１００は、円環状に形成されており、円形状のフィルターＦの外周に沿って該フィルターＦ上に配置できるようになっている。
【００２８】
外枠体１００は、ステンレス鋼やバネ鋼等からなる線材やピアノ線（硬鋼線）等で構成されており、所定長さの線材Ｗを環状に曲げ、該線材Ｗの両端部同士を連結することで形成されている。外枠体１００を構成する線材Ｗの両端部同士の連結には、塑性変形可能な金属材料を筒状に形成した圧着手段１５ａが用いられる。すなわち、線材Ｗの両端部同士の連結は、圧着手段１５ａ内に環状に曲げた線材Ｗの両端部を挿入した上で、該圧着手段１５ａをカシメ処理することで行われている。
【００２９】
また、本実施形態に係るフィルター押体１０は、弾性変形可能な線材Ｗで外枠体１００よりも小径な環状（外枠体１００の半径以下の環状）に形成され、外枠体１００内に配置される二つ以上の連結環状体１０１…を備えている。
【００３０】
二つ以上の連結環状体１０１…は、外枠体１００に対する第一延出体１１及び第二延出体１２の連結位置間で一列に配置されている。本実施形態に係るフィルター押体１０は、外径が外枠体１００の半径と略同径に設定された二つの連結環状体１０１…を備えており、該二つの連結環状体１０１…は、外枠体１００内で一列をなすように配置されている。そして、第一延出体１１と外枠体１００との連結位置と隣り合う一方の連結環状体１０１は、その一部が外枠体１００と第一延出体１１との連結位置に連結されている。これに対し、第二延出体１２と外枠体１００との連結位置と隣り合う他方の連結環状体１０１は、その一部が外枠体１００と第二延出体１２との連結位置に連結されている。そして、外枠体１内で隣り合う二つの連結環状体１０１…は、近接する互いの一部同士が連結されている。
【００３１】
各連結環状体１０１…は、外枠体１００と同様に、ステンレス鋼やバネ鋼等からなる線材やピアノ線（硬鋼線）等で構成されており、所定長さの線材Ｗを環状に曲げ、該線材Ｗの両端部同士を連結することで形成されている。連結環状体１０１…を構成する線材Ｗの両端部同士の連結には、塑性変形可能な金属材料を筒状に形成した圧着手段１５ｂが用いられる。すなわち、連結環状体１０１…においても線材Ｗの両端部同士の連結は、圧着手段１５ｂ内に環状に曲げた線材Ｗの両端部を挿入した上で、該圧着手段１５をカシメ処理することで行われている。なお、本実施形態において、各連結環状体１０１…を構成する線材Ｗの両端部同士を連結する際に、共通の圧着手段１５ｂに各連結環状体１０１…を構成する線材Ｗの両端部を挿入した上でカシメ処理するようにしている。これにより、二つの連結環状体１０１…を形成すべく、各線材Ｗの両端部同士を連結するのに併せ、二つの連結環状体１０１…の一部同士の連結も一緒に行うようにしている。
【００３２】
前記第一延出体１１は、弾性変形可能な線材Ｗで前記開口５３０よりも大径な環状に形成されている。そして、該第一延出体１１は、周方向の一部が外枠体１００の一部に連結されている。本実施形態に係る第一延出体１１は、ステンレス鋼やバネ鋼等からなる線材やピアノ線（硬鋼線）等で構成されており、所定長さの線材Ｗを環状に曲げ、該線材Ｗの両端部同士を連結することで形成されている。第一延出体１１を構成する線材Ｗの両端部同士の連結には、塑性変形可能な金属材料を筒状に形成した圧着手段１５ａが用いられる。すなわち、第一延出体１１においても線材Ｗの両端部同士の連結は、圧着手段１５ａ内に環状に曲げた線材Ｗの両端部を挿入した上で、該圧着手段１５ａをカシメ処理することで行われている。
【００３３】
本実施形態において、外枠体１００（フィルター押体１０）を構成する線材Ｗの両端部同士を連結するのに併せ、前記第一延出体１１を構成する線材Ｗの両端部同士の連結、及び外枠体１００の一部に対する第一延出体１１の一部の連結を一緒に行うようにしている。また、これらの連結に併せ、一方の連結環状体１０１の一部と外枠体１００の一部との連結も一緒に行うようにもなっている。
【００３４】
すなわち、単一の圧着手段１５ａに対し、一方の連結環状体１０１を構成する線材Ｗを挿通するとともに、外枠体１００を構成する線材Ｗの両端部、及び第一延出体１１を構成する両端部を挿入した状態で、該圧着手段１５ａをカシメ処理することで、これらの連結を一つの圧着手段１５ａのカシメ処理で行うようにしている。
【００３５】
前記第二延出体１２は、弾性変形可能な線材Ｗで第一延出体１１と同径、又はそれよりも小径な環状に形成される。本実施形態に係る第二延出体１２は、環状をなす第一延出体１１よりも小径に設定されている。そして、第二延出体１２は、周方向の一部が第一延出体１１との連結位置と対向する位置にある外枠体１００の一部に連結されている。
【００３６】
これにより、本実施形態に係るフィルター固定具１は、側面視におけるフィルター押体１０に対する第一延出体１１の角度よりも、フィルター押体１０に対する第二延出体１２の角度が大きくなるように構成されている。
【００３７】
本実施形態に係る第二延出体１２は、ステンレス鋼やバネ鋼等からなる線材やピアノ線（硬鋼線）等で構成されており、所定長さの線材Ｗを環状に曲げ、該線材Ｗの両端部同士を連結することで形成されている。第二延出体１２を構成する線材Ｗの両端部同士の連結は、塑性変形可能な金属材料を筒状にした圧着手段１５ｃを用いて行われている。すなわち、第二延出体１２においても、線材Ｗの両端部同士の連結には、塑性変形可能な金属材料を筒状に形成した圧着手段１５ｃが用いられる。すなわち、第二延出体１２においても線材Ｗの両端部同士の連結は、圧着手段１５ｃ内に環状に曲げた線材Ｗの両端部を挿入した上で、該圧着手段１５をカシメ処理することで行われている。本実施形態において、第二延出体１２を構成する線材Ｗの両端部同士を連結するのに併せ、外枠体１００の一部に対する第二延出体１２の一部の連結を一緒に行うようにしている。また、これらの連結に併せ、他方の連結環状体１０１…の一部と外枠体１００の一部との連結も一緒に行うようにしている。
【００３８】
すなわち、単一の圧着手段１５ｃに対し、外枠体１００及び他方の連結環状体１０１を構成する各線材Ｗを挿通するとともに、第二延出体１２を構成する線材Ｗの両端部を挿入した状態で、該圧着手段１５ｃをカシメ処理することで、これらの連結を一つの圧着手段１５ｃのカシメ処理で行うようにしている。
【００３９】
そして、第一延出体１１及び第二延出体１２のそれぞれは、外枠体１００に対する連結位置と対向する一部（先端側）同士が連結されている。すなわち、第一延出体１１及び第二延出体１２は、フィルター押体１０のフィルターＦと対向する側とは反対側に延出しており、その先端側の一部同士が連結されている。この第一延出体１１と第二延出体１２との連結についても圧着手段１５ｄが用いられる。本実施形態においては、第一延出体１１を構成する線材Ｗの両端部同士の連結、第一延出体１１、外枠体１００、及び一方の連結環状体１０１の連結を共通の圧着手段１５ａを用いて行い、第二延出体１２を構成する線材Ｗの両端同士の連結と、該第二延出体１２、外枠体１００、及び他方の連結環状体１０１の連結を共通の圧着手段１５ｃを用いて行うようにしているため、第一延出体１１と第二延出体１２との連結は、第一延出体１１及び第二延出体１２を構成する線材Ｗの両端部同士を連結する前に、第一延出体１１及び第二延出体１２を構成する線材Ｗを共通の圧着手段１５ｄに挿通した上で該圧着手段１５ｄをカシメ処理することで行われている。
【００４０】
これにより、本実施形態に係るフィルター固定具１は、フィルター押体１０（外枠体１００）、第一延出体１１、及び第二延出体１２のそれぞれが環状に形成されているものの、これらによって側面視において略トライアングル状をなしている。そして、該フィルター固定具１は、フィルター押体１０上を通る仮想面に対して直交方向において、第一延出体１１と第二延出体１２との連結位置（第一延出体１１と第二延出体１２とを連結した圧着手段（連結部）１５ｄ）から仮想面（フィルター押体１０）までの距離が、ガラリ５におけるルーバー５２とルーバー５２の前方に位置するフード５３の内面までの距離よりもやや長くなるように設定されている。
【００４１】
本実施形態に係るフィルター固定具１は、以上の構成からなり、次に、ガラリ５に対するフィルターＦの固定方法（取り付け方）に併せて上記構成のフィルター固定具１の作用について説明することとする。
【００４２】
まず、ガラリ５のルーバー５２の前面にフィルターＦを重ね合わせる。この状態で、ガラリ５の開口５３０を介してフード５３内にフィルター固定具１を挿入する。このとき、フィルター押体１０をフィルターＦ側に向けつつ、第二延出体１２がフード５３の奥側に位置するよう、フィルター固定具１をフード５３内に挿入する。本実施形態において、フィルター押体１０及び第一延出体１１がフード５３の開口５３０よりも大径に設定されているため、外枠体１００及び第一延出体１１を開口５３０の径（幅）よりも幅狭になるように、径方向（挿入方向と直交する方向）で扁平状に弾性変形させつつ、開口５３０を介してフード５３内に挿入する。本実施形態に係るフィルター固定具１は、上述の如く、二つの連結環状体１０１…が第一延出体１１と外枠体１００との連結位置と、第二延出体１２と外枠体１００との連結位置との間で突っ張ることになるため、フード５３内に挿入する際（開口５３０を通過させる際）に、開口５３０に対する挿入方向と交差（直交）する方向に外枠体１００や第一延出体１１を変形させても、挿入方向への不要な変形が防止され、これにより、フード５３内に円滑且つ適正に挿入されることになる。そして、フィルター固定具１全体がフード５３内に入り込むと、外枠体１００、第一延出体１１及び第二延出体１２は、自己の弾性によって元の形状に復元することになる。
【００４３】
そうすると、外枠体１００、第一延出体１１及び第二延出体１２の弾性（復元力）によって第一延出体１１と第二延出体１２とを連結した連結部（圧着手段）１５ｄがルーバー５２の前方を覆うフード５３の内面に圧接し、その圧接力の反力が第一延出体１１及び第二延出体１２を介してフィルター押体１０に作用する。その結果、シート状のフィルターＦがルーバー５２とフィルター押体１０との挟まれた状態になるため、フィルターＦがフード５３内にあるルーバー５２の前面に重ね合わせた状態で固定されることになる。
【００４４】
そして、本実施形態に係るフィルター固定具１は、第一延出体１１がフード５３の開口５３０よりも大径な環状に形成されているため、フィルター押体１０がフィルターＦを押さえた状態で、第一延出体１１が開口５３０回りで配置されることになり、開口５３０内に何れの部材も存在することがなく、空気の円滑な流通が確保される。
【００４５】
そして、フィルターＦを交換する場合、上記手順とは逆の手順で作業を行うことで、フィルターＦの固定を解除することができ、古いフィルターＦを取り外すことができる。従って、新たなフィルターＦをルーバー５２の前面に配置した状態で、上述の手順でフィルター固定具１をガラリ５に取り付けることで、簡単に新たなフィルターＦに交換することができる。
【００４６】
以上のように、本実施形態に係るフィルター固定具１は、ルーバー５２の前面に重ね合わされたフィルターＦ上に配置されるフィルター押体１０と、フィルター押体１０の一部に連結されて延出する第一延出体１１と、第一延出体１１との連結位置から離れた位置でフィルター押体１０の一部に連結されて延出し、先端側が第一延出体１１の先端側に連結された第二延出体１２とを備え、第一延出体１１及び第二延出体１２の少なくとも何れか一方が弾性変形可能に構成され、フィルター押体１０をフード５３内のフィルターＦ上に配置した状態で、第一延出体１１及び第二延出体１２の少なくとも何れか一方の弾性による復元力によって第一延出体１１と第二延出体１２とを連結した連結部１５ｄ、又は前記連結部１５ｄ近傍がルーバー５２の前方を覆うフード５３の内面に圧接するように構成されているため、ガラリ５に対してフィルターＦを長期に亘って確実に固定することができる上に、フィルターＦの交換を容易且つ迅速に行うことができるという優れた効果を奏し得る。
【００４７】
また、前記フィルター押体１０は、フィルターＦの外周端部を押さえるべく、弾性変形可能な線材Ｗを環状にして形成された外枠体１００を備え、第一延出体１１は、弾性変形可能な線材Ｗで前記開口５３０よりも大径な環状に形成されるとともに、周方向の一部が外枠体１００の一部に連結され、第二延出体１２は、弾性変形可能な線材Ｗで第一延出体１１と同径、又はそれよりも小径な環状に形成されるとともに、周方向の一部が第一延出体１１との連結位置と対向する位置にある外枠体１００の一部に連結され、第一延出体１１及び第二延出体１２は、外枠体１００に対する連結位置と対向する一部同士が連結されているので、フード５３内に配置したときに、第一延出体１１が開口５３０回りで配置されることになり、空気の円滑な流通を確保することができる。
【００４８】
また、外枠体１００、第一延出体１１、及び第二延出体１２の何れも弾性変形可能な線材Ｗで環状に形成することで、常態の姿勢で全体が開口５３０を通過できないサイズになっていたとしても、フード５３内への挿入、或いはフード５３内からの取り出しに伴って開口５３０を通過させる際、これらを径方向に弾性変形させることで開口５３０の通過が許容される。また、開口５３０を通過した後にこれらの弾性で元の姿勢に復元することになり、フード５３内では、該フード５３に対する連結部１５ｄの圧接が確保され、フード５３外では常態の姿勢に復元することができる。従って、複数回に亘るフィルターＦの交換にも耐えることができる。
【００４９】
そして、前記フィルター押体１０は、弾性変形可能な線材Ｗで外枠体１００よりも小径な環状に形成された連結環状体１０１…を二つ以上備え、二つ以上の連結環状体１０１…は、外枠体１００に対する第一延出体１１及び第二延出体１２の連結位置間で並列に配置され、第一延出体１１と外枠体１００との連結位置と隣り合う連結環状体１０１の一部が外枠体１００と第一延出体１１との連結位置に連結されるとともに、第二延出体１２と外枠体１００との連結位置と隣り合う連結環状体１０１の一部が外枠体１００と第二延出体１２との連結位置に連結され、しかも、隣り合う連結環状体１０１…の近接する一部同士が連結されているので、二つ以上の連結環状体１０１…が第一延出体１１と外枠体１００との連結位置と、第二延出体１２と外枠体１００との連結位置との間を突っ張ることになるため、フード５３内に挿入する際（開口５３０を通過させる際）に、挿入方向（通過方向）と交差する方向に外枠体１００や第一延出体１１を変形させても、挿入方向（通過方向）への不要な変形が防止される。これにより、フード５３内に円滑且つ適正に配置することができる。
【００５０】
なお、本発明に係るフード付ガラリ用のフィルター固定具は、上記実施形態に限定されるものではなく、本発明の要旨を逸脱しない範囲で種々の変更を加え得ることは勿論のことである。
【００５１】
上記実施形態において、ドーム状のフード５３を備えたガラリ５を対象に説明したが、フィルター固定具１でフィルターＦを取り付ける対象は、これに限定されるものではなく、例えば、フード５３が箱状に形成されたガラリ５であっても勿論よい。すなわち、ルーバー５２に対して間隔をあけて該ルーバー５２の前方に配置される部位を有するフード５３を有するガラリ５であればよい。
【００５２】
上記実施形態において、第一延出体１１及び第二延出体１２の何れも環状に形成したが、これに限定されるものではなく、例えば、図５に示す如く、第二延出体１２を直線状の線材で構成し、その一方の端部をフィルター押体１０（外枠体１００）の一部に連結し、他方の端部（先端）を第一延出体１１の一部に連結するようにしてもよい。
【００５３】
上記実施形態において、フィルター押体１０を外枠体１００と連結環状体１０１…とで構成したが、これに限定されるものではなく、例えば、フィルター押体１０を環状の外枠体１００のみで構成してもよい。また、外枠体１００は、円環状に形成したが、これに限定されるものではなく、角環状に形成してもよい。
【００５４】
そして、上記実施形態において、フィルター押体１０に環状の外枠体１００を備えることで、フィルターＦの外周縁部を押さえるようにしたが、フィルター押体１０は、フィルターＦを押さえることができればよく、例えば、一方向に直線状に延びる線材Ｗでフィルター押体１０を構成してもよいし、図６及び図７に示す如く、一方向に延びる縦部材１０５と該縦部材１０５と直交する方向に延びる横部材１０６とを備えたもの（二つの線材Ｗ，Ｗを十文字に配設して連結したもの）でフィルター押体１０を構成してもよい。すなわち、フィルター押体１０は、フィルターＦ上に配置された状態で該フィルターＦの通気を確保できる形状であれば適宜変更可能であり、適宜変更されたフィルター押体１０の一部に第一延出体１１を連結し、第一延出体１１との連結位置から離れた位置で第二延出体１２をフィルター押体１０の一部に連結した上で、第一延出体１１及び第二延出体１２の先端側同士が直接的又は間接的に連結されればよい。但し、フード５３内に挿入した状態で、第一延出体１１と第二延出体１２とを連結した連結部１５ｄ、又は、連結部１５ｄ近傍がフード５３の内面に圧接することは言うまでもない。
【００５５】
また、上記実施形態において、第一延出体１１及び第二延出体１２を環状に形成したが、例えば、上述の如く、フィルター押体１０を直線上の線材Ｗで構成するのに併せ、図６に示す如く、第一延出体１１及び第二延出体１２を直線状の線材Ｗで構成するようにしてもよい。但し、第一延出体１１を直線状の線材Ｗで構成すると、フード５３の開口５３０内に第一延出体１１が存在することになるため、図７に示す如く、第一延出体１１をフード５３の開口５３０よりもやや大径の環状に形成することが好ましい。
【００５６】
上記実施形態において、圧着手段１５ａ，１５ｂ，１５ｃ，１５ｄを用いて線材Ｗの両端部を連結して外枠体１００や連結環状体１０１…、第一延出体１１、第二延出体１２を形成するようにしたが、これに限定されるものではなく、例えば、これらを構成する線材Ｗに溶接可能な素材を採用した場合には、線材Ｗの端部同士を溶接するようにして、外枠体１００、連結環状体１０１…、第一延出体１１、及び第二延出体１２を線材Ｗから環状に形成してもよい。また、これらの部材の部分同士の連結も溶接でするようにしても勿論よい。
【００５７】
上記実施形態において、圧着手段１５ｄを用いて第一延出体１１及び第二延出体１２の一部同士を連結したが、これに限定されるものではなく、例えば、図８に示す如く、第一延出体１１及び第二延出体１２に対して着脱可能な連結部材１５’を用いて、第一延出体１１及び第二延出体１２の一部同士を連結するようにしてもよい。また、図９に示す如く、第一延出体１１又は第二延出体１２の何れか一方に対して固定されるとともに、何れか他方に対して着脱可能に構成された連結部材１５’を用いて、第一延出体１１及び第二延出体１２の一部同士を連結するようにしてもよい。このようにすれば、第一延出体１１及び第二延出体１２の連結を解除することができるため、これらの連結を解除した上で、第一延出体１１及び第二延出体１２を傾倒させれば、当該フィルター固定具１を使用しない状態（例えば、運搬や保管する際）で嵩を低くしておくことができる。なお、フィルター押体１０に対して第一延出体１１及び第二延出体１２を固定してしまうと、第一延出体１１及び第二延出体１２を傾倒させることができなくなるため、第一延出体１１及び第二延出体１２の少なくとも何れか一方に対して着脱可能な連結部材１５’を採用する場合、第一延出体１１及び第二延出体１２が傾倒可能となるように、これらをフィルター押体１０に対して連結することは言うまでものない。
【符号の説明】
【００５８】
１…フィルター固定具、５…フード付ガラリ（ガラリ）、１０…フィルター押体、１１…第一延出体、１２…第二延出体、１５ａ，１５ｂ，１５ｃ…圧着手段（連結位置）、１５ｄ…圧着手段（連結部）、５０…取付嵌入部、５１…フランジ、５２…ルーバー、５３…フード、１００…外枠体、１０１…連結環状体、５２０…羽根板、５３０…開口、Ｆ…フィルター、Ｗ…線材
【図１】
2010286147.tif 000003
【図２】
2010286147.tif 000004
【図３】
2010286147.tif 000005
【図４】
2010286147.tif 000006
【図５】
2010286147.tif 000007
【図６】
2010286147.tif 000008
【図７】
2010286147.tif 000009
【図８】
2010286147.tif 000010
【図９】
2010286147.tif 000011